(57)【要約】【課題】投影画像や印刷画像の品質が低下することを抑制することが可能な印刷機能付きプロジェクタを提供する。【解決手段】外部に接続されたコンピュータ装置５０が「画像データ」を複数の「分割画像データ」に分割してから、印刷機能付きプロジェクタ１に出力し、印刷機能付きプロジェクタ１は、前記「分割画像データ」を投影するとともに、前記「分割画像データ」を再び１つの「画像データ」に合成して印刷する。【選択図】図３
2009048034.tif 000002
【特許請求の範囲】
【請求項１】
画像データを印刷する印刷部と、画像データを投影面に投影する投影部を有する印刷機能付きプロジェクタにおいて、
外部のコンピュータ装置が接続され、外部のコンピュータ装置が画像データの画素を一定の間隔をおいて選択して再配置することにより複数に分割した分割画像データを取得するインターフェース部と、
前記インターフェース部が取得した分割画像データを保存する保存部と、
前記保存部に保存された分割画像データを画像処理する画像処理部を有し、
前記分割画像データを前記画像処理部で投影用画像データに画像処理し、前記投影部に出力して投影するとともに、
前記分割画像データを前記画像処理部で再び１つの画像データに合成し、前記印刷部に出力して印刷することを特徴とする印刷機能付きプロジェクタ。
【請求項２】
インターフェース部はアナログ信号に対応したものであり、アナログ信号をデジタルデータに変換するＡ／Ｄ変換部を有し、前記インターフェース部に入力されたアナログ信号の分割画像データを、前記Ａ／Ｄ変換部でデジタルデータに変換して、保存部に保存することを特徴とする請求項１に記載の印刷機能付きプロジェクタ。
【請求項３】
インターフェース部はデジタル信号に対応したものであり、印刷機能付きプロジェクタの能力に応じた分割画像データにする要求を、前記インターフェース部を介してコンピュータ装置に出力する要求手段を有することを特徴とする請求項１に記載の印刷機能付きプロジェクタ。
【請求項４】
要求手段がコンピュータ装置に出力する要求は、コンピュータ装置が画像データを分割する分割画像データの分割数であることを特徴とする請求項３に記載の印刷機能付きプロジェクタ。
【請求項５】
要求手段がコンピュータ装置に出力する要求は、コンピュータ装置が分割する分割画像データの縦横比であることを特徴とする請求項３又は請求項４のいずれかに記載の印刷機能付きプロジェクタ。
【請求項６】
要求手段がコンピュータ装置に出力する要求は、コンピュータ装置が印刷機能付きプロジェクタに出力する分割画像データの出力順であることを特徴とする請求項３〜請求項５のいずれかに記載の印刷機能付きプロジェクタ。
【請求項７】
画像データを複数の分割画像データに分割して出力するコンピュータ装置と、
前記コンピュータ装置が出力した分割画像データを投影するとともに、前記分割画像データを再び１つの画像データに合成し、この合成された画像データを印刷する印刷機能付きプロジェクタ、
とから構成されたことを特徴とする画像投影印刷システム。
【発明の詳細な説明】
【技術分野】
【０００１】
本発明は、投影画像を印刷することができる印刷機能付きプロジェクタに関するものである。
【背景技術】
【０００２】
従来から特許文献１に示されるような、印刷機能付きプロジェクタが提案されている。このような印刷機能付きプロジェクタは、コンピュータ装置に保存されている画像データを印刷機能付きプロジェクタに出力し、前記画像データを印刷機能付きプロジェクタで投影し、印刷するものである。
【０００３】
投影用画像データと印刷用画像データとは、解像度（画素数）や色空間等のデータ形式等の違いから、コンピュータ装置から印刷機能付きプロジェクタに前記画像データを出力する際に、どちらかのデータ形式に合わせると、投影画像もしくは印刷画像の品質が低下してしまうという問題があった。つまり、図１１に示されるように、投影用の画像データに合わせて、コンピュータ装置に保存されている画像データを、印刷機能付きプロジェクタに出力する場合には、プロジェクタの画面解像度（例えばＸＧＡ（１０２４×７６８）やＶＧＡ（６４０×４８０）等）に合わせて、オリジナルの画像データをコンピュータ装置で画素を縮小処理してから、印刷機能付きプロジェクタに出力するようにしているため、投影用の画像データは、印刷用の画像データに比べて画素数が少ないことから、投影用の画像データを印刷すると、印刷品質が大幅に低下してしまうという問題があった。
【０００４】
また、図１２に示されるように、印刷用の画像データに合わせて、コンピュータ装置に保存されている画像データを、印刷機能付きプロジェクタに出力する場合には、コンピュータ装置で、オリジナルの画像データの色空間をＣＭＹＫに変換するとともに、色深度を２値化してから、印刷機能付きプロジェクタに送信することとしているため、画像を投影する際に、印刷用の画像データを印刷機能付きプロジェクタで再びＲＧＢの色空間に変換し、色深度を多値化してから投影する必要があり、投影画像の画質が劣化してしまうという問題があった。また、印刷用の画像データを、印刷機能付きプロジェクタでＲＧＢの色空間に変換し、色深度を多値化し、更に、プロジェクタの画像解像度に縮小処理することから、表示速度が遅くなるという問題があった。
【０００５】
一方で、コンピュータ装置と印刷機能付きプロジェクタとを２本のケーブルで接続して、この２本のケーブルを、それぞれ投影用及び印刷用画像データ出力用の専用線することも考えられる。しかしながら、この方法では、コンピュータ装置と印刷機能付きプロジェクタとを接続する際に、２本のケーブルをそれぞれコンピュータ装置及び印刷機能付きプロジェクタの接続口に接続する必要があり、接続作業が繁雑になってしまうという問題があった。
【０００６】
そこで、特許文献２に示されるような、プリンタ部・ディスプレー部一体装置が提案されている。この装置は、印刷用画像データと投影用画像データが混在したデータ入力を可能とするインターフェースを備えていて、表示部に画像を表示しながら表示画像を高解像度で印刷することができる。しかしながら、特殊なインターフェースであるため、通常の画像出力端子（ＶＧＡ端子（Ｖｉｄｅｏ  Ｇｒａｐｈｉｃｓ  Ａｒｒａｙの略）やＤＶＩ−Ｄ端子等）でコンピュータ装置と接続することができず、コンピュータ装置側も特許文献２に記載の装置のインターフェースに対応したインターフェースを備える必要があり、コスト高になることや、予めコンピュータ装置に前記インターフェースを設置する必要があり、直ぐに使用することができないという問題があった。
【特許文献１】特開２００６−２４３６７２号公報
【特許文献２】特開２００４−２３４１６８号公報
【発明の開示】
【発明が解決しようとする課題】
【０００７】
投影画像や印刷画像の品質の低下を抑制することが可能な印刷機能付きプロジェクタを提供する。
【課題を解決するための手段】
【０００８】
上記課題を解決するためになされた請求項１に記載の本発明は、
画像データを印刷する印刷部と、画像データを投影面に投影する投影部を有する印刷機能付きプロジェクタにおいて、
外部のコンピュータ装置が接続され、外部のコンピュータ装置が画像データの画素を一定の間隔をおいて選択して再配置することにより複数に分割した分割画像データを取得するインターフェース部と、
前記インターフェース部が取得した分割画像データを保存する保存部と、
前記保存部に保存された分割画像データを画像処理する画像処理部を有し、
前記分割画像データを前記画像処理部で投影用画像データに画像処理し、前記投影部に出力して投影するとともに、
前記分割画像データを前記画像処理部で再び１つの画像データに合成し、前記印刷部に出力して印刷することを特徴とする。
【０００９】
また、請求項２に記載の発明は、インターフェース部はアナログ信号に対応したものであり、アナログ信号をデジタルデータに変換するＡ／Ｄ変換部を有し、前記インターフェース部に入力されたアナログ信号の分割画像データを、前記Ａ／Ｄ変換部でデジタルデータに変換して、保存部に保存することを特徴とする。
【００１０】
また、請求項３に記載の発明は、インターフェース部はデジタル信号に対応したものであり、印刷機能付きプロジェクタの能力に応じた分割画像データにする要求を、前記インターフェース部を介してコンピュータ装置に出力する要求手段を有することを特徴とする。
【００１１】
また、請求項４に記載の発明は、要求手段がコンピュータ装置に出力する要求は、コンピュータ装置が画像データを分割する分割画像データの分割数であることを特徴とする。
【００１２】
また、請求項５に記載の発明は、要求手段がコンピュータ装置に出力する要求は、コンピュータ装置が分割する分割画像データの縦横比であることを特徴とする。
【００１３】
また、請求項６に記載の発明は、要求手段がコンピュータ装置に出力する要求は、コンピュータ装置が印刷機能付きプロジェクタに出力する分割画像データの出力順であることを特徴とする。
【００１４】
また、請求項７に記載の発明は、画像データを複数の分割画像データに分割して出力するコンピュータ装置と、
前記コンピュータ装置が出力した分割画像データを投影するとともに、前記分割画像データを再び１つの画像データに合成し、この合成された画像データを印刷する印刷機能付きプロジェクタ、
とから構成されたことを特徴とする。
【発明の効果】
【００１５】
請求項１に記載の本発明によれば、
画像データを印刷する印刷部と、画像データを投影面に投影する投影部を有する印刷機能付きプロジェクタにおいて、外部のコンピュータ装置が接続され、コンピュータ装置が画像データの画素を一定の間隔をおいて選択して再配置することにより複数に分割した分割画像データを取得するインターフェース部と、前記インターフェース部が取得した分割画像データを保存する保存部と、前記保存部に保存された分割画像データを画像処理する画像処理部を有し、前記分割画像データを前記画像処理部で投影用画像データに画像処理し、前記投影部に出力して投影することとしたので、
投影画像の品質が低下することなく、また、画像の表示速度を向上させることが可能となった。また、前記分割画像データを前記画像処理部で再び１つの画像データに合成し、前記印刷部に出力して印刷することとしたので、印刷画像の品質が低下することを抑制することが可能となった。
【００１６】
また、請求項２に記載の発明によれば、インターフェース部はアナログ信号に対応したものであり、アナログ信号をデジタルデータに変換するＡ／Ｄ変換部を有し、前記インターフェース部に入力されたアナログ信号の分割画像データを、前記Ａ／Ｄ変換部でデジタルデータに変換して、保存部に保存することとしたので、アナログ信号によって画像データを出力する場合であっても、投影画像や印刷画像の品質が低下することを抑制することができ、画像の表示速度を向上させることが可能となった。
【００１７】
また、請求項３に記載の発明によれば、インターフェース部はデジタル信号に対応したものであり、印刷機能付きプロジェクタの能力に応じた分割画像データにする要求を、前記インターフェース部を介してコンピュータ装置に出力する要求手段を有することとしたので、印刷機能付きプロジェクタの能力に応じた最適な分割画像データを印刷機能付きプロジェクタに入力することが可能となり、画像の投影速度や、印刷速度を向上させることが可能となり、投影画像や印刷画像の品質を向上させることが可能となった。
【００１８】
また、請求項４に記載の発明によれば、要求手段がコンピュータ装置に出力する要求は、コンピュータ装置が画像データを分割する分割画像データの分割数とすることにしたので、印刷機能付きプロジェクタの能力に応じた最適な分割数に分割された分割画像データを印刷機能付きプロジェクタに入力することが可能となり、画像の投影速度や、印刷速度を向上させることが可能となり、投影画像や印刷画像の品質を向上させることが可能となった。
【００１９】
また、請求項５に記載の発明によれば、要求手段がコンピュータ装置に出力する要求は、コンピュータ装置が分割する分割画像データの縦横比とすることにしたので、印刷機能付きプロジェクタの能力に応じた最適な縦横比で分割された分割画像データを印刷機能付きプロジェクタに入力することが可能となり、画像の投影速度や、印刷速度を向上させることが可能となり、投影画像や印刷画像の品質を向上させることが可能となった。
【００２０】
また、請求項６に記載の発明によれば、要求手段がコンピュータ装置に出力する要求は、コンピュータ装置が印刷機能付きプロジェクタに出力する分割画像データの出力順とすることにしたので、印刷機能付きプロジェクタの能力に応じた最適な出力順で分割画像データを印刷機能付きプロジェクタに入力することが可能となり、画像の投影速度や、印刷速度を向上させることが可能となり、投影画像や印刷画像の品質を向上させることが可能となった。
【００２１】
また、請求項７に記載の発明によれば、画像データを複数の分割画像データに分割して出力するコンピュータ装置と、前記コンピュータ装置が出力した分割画像データを投影するとともに、前記分割画像データを再び１つの画像データに合成し、この合成された画像データを印刷する印刷機能付きプロジェクタとから構成することとしたので、
投影画像や印刷画像の品質が低下することを抑制することができ、画像の表示速度を向上させることが可能な画像投影印刷システムを提供することが可能となった。
【発明を実施するための最良の形態】
【００２２】
（本発明の構成）
以下に、図面を参照しつつ本発明の好ましい実施の形態を示す。図１は本発明の実施の形態を示すプロジェクタの斜視図である。図１において、１は本発明の印刷機能付きプロジェクタである。１０は表示部であり、印刷機能付きプロジェクタ１に設けられ、ＬＣＤ（Ｌｉｑｕｉｄ  Ｃｌｙｓｔａｌ  Ｄｉｓｐｌａｙの略、液晶表示素子）等で構成されている。表示部１０には、印刷機能付きプロジェクタ１の各種設定情報等が表示されるようになっている。
【００２３】
１１は印刷機能付きプロジェクタ１に設けられた投影部である。この投影部１１は主に、光源、照明光学系、ＬＣＤ、レンズとから構成されている。投影部１１は、スクリーン等の投影面８０に投影画像９１として投影する。１２は印刷部であり、紙に画像を印刷するものである。
【００２４】
１３は操作パネルであり、本発明の印刷機能付きプロジェクタ１を、操作したり、各種設定したりするものである。
【００２５】
１５はインターフェース部であり、外部のコンピュータ装置５０が接続し、コンピュータ装置５０からデータが入力され、このデータに含まれる「画像データ」を取得するためのものである。このインターフェース部１５のインターフェースとして、ＶＧＡ端子（Ｖｉｄｅｏ  Ｇｒａｐｈｉｃｓ  Ａｒｒａｙの略）や、ＤＶＩ−Ｄ端子、ＤＶＩ−Ｉ端子、ＬＡＮ（Ｌｏｃａｌ  Ａｒｅａ  Ｎｅｔｗｏｒｋの略）、ＵＳＢ（Ｕｎｖｅｒｓａｌ  Ｓｅｒｉａｌ  Ｂｕｓの略、ＵＳＢ１．０、ＵＳＢ１．１、ＵＳＢ２．０を含む）、ＩＥＥＥ１３９４、等のインターフェースを含めることができる。あるいはインターフェース部１５として、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースを含めることができる。なお、コンピュータ装置５０には、ウインドウズ（登録商標）、マッキントッシュ（登録商標）、リナックス（登録商標）、ＭＳ−ＤＯＳ（登録商標）等のＯＳ（オペレーティングシステム）を用いた、いわゆるパーソナルコンピュータや、ＰＤＡ（Ｐｅｒｓｏｎａｌ  Ｄｉｇｉｔａｌ  Ａｓｓｉｓｔａｎｔの略、携帯情報端末）、ワークステーション、大型汎用コンピュータ等が含まれる。
【００２６】
なお、「画像データ」のフォーマットとしては、ＪＰＥＧ（Ｊｏｉｎｔ  Ｐｈｏｔｏｇｒａｐｈｉｃ  Ｅｘｐｅｒｔｓ  Ｇｒｏｕｐの略）、ＢＭＰ（Ｂｉｔｍａｐの略）、ＴＩＦＦ（Ｔａｇｇｅｄ  Ｉｍａｇｅ  Ｆｉｌｅ  Ｆｏｒｍａｔの略）、ＰＮＧ（Ｐｏｒｔａｂｌｅ  Ｎｅｔｗｏｒｋ  Ｇｒａｐｈｉｃｓの略）、ＧＩＦ（Ｇｒａｐｈｉｃｓ  Ｉｎｅｒｃｈａｎｇｅ  Ｆｏｒｍａｔの略）等の画像ファイルやグラフィカルソフトのファイル形式も含まれる。
【００２７】
（本発明のブロック図）
図２に、本発明の印刷機能付きプロジェクタのブロック図を示す。１７はＣＰＵ（Ｃｅｎｔｒａｌ  Ｐｒｏｃｅｓｓｉｎｇ  Ｕｎｉｔの略）であり、１８はＲＡＭ（Ｒａｎｄｏｍ  Ａｃｃｅｓｓ  Ｍｅｍｏｒｙの略）、１９はＲＯＭ（Ｒｅａｄ  Ｏｎｌｙ  Ｍｅｍｏｒｙの略）である。ＣＰＵ１７は、ＲＡＭ１８、ＲＯＭ１９と協動して、各種演算、処理をする。ＲＡＭ１８は、ＣＰＵ１７が処理するデータを一時的に保存するものである。
【００２８】
ＲＯＭ１９には、本発明の印刷機能付きプロジェクタ１を制御するためのアプリケーションソフトが保存されている。これらのアプリケーションソフトを、ＣＰＵ１７で処理することにより、各種機能を実現している。
【００２９】
２０は保存部でありＲＡＭや不揮発性メモリー等により構成されている。この保存部２０には、インターフェース部１５が取得した「画像データ」が保存され、後述する「分割画像データ」や「投影用画像データ」、「印刷用画像データ」を保存するフレームメモリとしての役割をするようになっている。
【００３０】
２１は画像処理部である。画像処理部２１は、２以上の機能を持っている。１つは、インターフェース部１５から入力された「画像データ」を、必要に応じてシャープネス補正、ガンマ補正、コントラスト補正、ホワイトバランス補正、歪み補正、台形補正等の投影用の画像処理を行い、「投影用画像データ」を生成し、投影部１０に出力する機能である。もう１つは、インターフェース部１５が取得した「画像データ」を、必要に応じてシャープネス補正、ガンマ補正、コントラスト補正、色変換（RGB→CMYK）、階調変換（２値化）等の印刷用の画像処理を行い「印刷用画像データ」を生成し、印刷部１２に出力する機能である。なお、画像処理部２１は、ＲＯＭ１９に保存されたアプリケーションソフトが、ＣＰＵ１７で処理されることにより実現している。また、ＡＳＩＣ（ＡｐｐｌｉｃａｔｉｏｎＳｐｅｃｉｆｉｃ Ｉｎｔｅｇｒａｔｅｄ Ｃｉｒｃｕｉｔ）として実現してもよい。
【００３１】
２２はＡ／Ｄ変換部である。このＡ／Ｄ変換部２２は、インターフェース部１５がＶＧＡ端子等のアナログ信号に対応したものである場合には、インターフェース部１５から入力されたアナログ信号の「画像データ」を、デジタルデータに変換するものである。
【００３２】
２３は要求手段である。この要求手段２３は、印刷機能付きプロジェクタ１の能力に応じた要求を、インターフェース部１５を介してコンピュータ装置５０に出力するものである。詳細については後述する。なお、要求手段２３は、ＲＯＭ１９に保存されたアプリケーションソフトが、ＣＰＵ１７で処理されることにより実現している。
【００３３】
これら、表示部１０、投影部１１、印刷部１２、操作パネル１３、インターフェース部１５、ＣＰＵ１７、ＲＯＭ１８、ＲＡＭ１９、保存部２０、画像処理部２１、Ａ／Ｄ変換部２２、要求手段２３は、バス３０により相互に接続されている。
【００３４】
（本発明の概要）
図３に本発明の説明図を示して、以下本発明の概要を説明する。コンピュータ装置５０は、インターフェース部１５を介して印刷機能付きプロジェクタ１と接続している。コンピュータ装置５０と印刷機能付きプロジェクタ１とから画像投影印刷システムが構成されている。コンピュータ装置５０には前記した「画像データ」が保存されている。まず、コンピュータ装置５０が、「画像データ」の画素数が印刷部１２の印刷能力に合わせて画素の縮小処理を行い、「縮小画像データ」を生成する。なお、「画像データ」がピクセルデータでない場合には、ピクセルデータに変換してから画素の縮小処理が行われる。次に、コンピュータ装置５０が、「縮小画像データ」の画素を一定の間隔をおいて選択して再配置することにより複数に分割して「分割画像データ」を生成する。図３に示される実施形態では、「縮小画像データ」を４つの「分割画像データ」（ブロック１〜ブロック４）に分割している。これら「分割画像データ」を印刷機能付きプロジェクタ１のインターフェース部１５に出力する。
【００３５】
インターフェース部１５が取得した「分割画像データ」は保存部２０に保存される。画像処理部２１は、保存部２０に保存された「分割画像データ」の１つに、前述した投影用の画像処理を行い、「投影用画像データ」を生成し、投影部１１に出力して、投影面８０に投影画像９１を投影する。つまり「分割画像データ」の画素数は、投影部１１の投影能力に応じた画素数となっている。このため、コンピュータ装置５０で「縮小画像データ」を複数の「分割画像データ」に分割する際には、投影部１１の能力に応じた画素数に分割することにしている。
【００３６】
一方で、ユーザが操作パネル１３を操作することにより、投影画像９１の印刷を希望する場合には、画像処理部２１は、保存部２０に保存された一組の「分割画像データ」を、再び１つの「縮小画像データ」に合成する処理をする。更に、画像処理部２１は、合成された「縮小画像データ」に前述した印刷用の画像処理を行い、「印刷用画像データ」を生成し、印刷部１２に出力して印刷する。
【００３７】
（分割画像データの受信のフロー）
図４に画像データの保存のフローを示し、以下説明をする。
分割画像データの保存のフローが開始すると、Ｓ１２「カウンタを初期化」の処理に進み、「カウンタ」を初期化する。ここでいう「カウンタ」とは、「縮小画像データ」から「分割画像データ」への「分割数」と一致した値である。後述するように、インターフェース部１５がアナログ信号に対応したものである場合には、「分割数」は予め設定されている規則に基づいて決定され、インターフェース部１５がデジタル信号に対応したものである場合には、後述する「ネゴーシエション処理」で「分割数」を決定するようになっている。Ｓ１２の処理が終了するとＳ１３「分割画像データが入力？」の判断に進む。
【００３８】
Ｓ１３「分割画像データが入力？」の判断において、ＣＰＵ１７がインターフェース部１５に「分割画像データ」が入力されたと判断した場合には、Ｓ１４「保存先のアドレスを計算」の処理に進む。
【００３９】
Ｓ１４「保存先のアドレスを計算」の処理において、ＣＰＵ１７は、「分割画像データ」の保存部２０の保存先のアドレスを算出する。Ｓ１４の処理が終了すると、Ｓ１５「分割画像データを指定アドレスに保存」の処理に進む。
【００４０】
Ｓ１５「分割画像データを指定アドレスに保存」の処理において、ＣＰＵ１７は、インターフェース部１５が取得した「分割画像データ」を、Ｓ１４の処理で算出した保存部２０のアドレスに保存する処理を行う。Ｓ１５の処理が終了すると、Ｓ１６「１ブロック分保存？」の判断に進む。
【００４１】
Ｓ１６「１ブロック分保存？」の判断において、ＣＰＵ１７が、１ブロック分の「分割画像データ」を、Ｓ１５の処理で保存部２０の指定されたアドレスに保存した判断した場合には、Ｓ１７「カウンタを増加」の処理に進む。一方で、Ｓ１６の判断において、ＣＰＵ１７が、１ブロック分の「分割画像データ」をＳ１５の処理で保存部２０の指定されたアドレスに保存していないと判断した場合には、Ｓ１３の判断に戻る。
【００４２】
Ｓ１７「カウンタを増加」の処理において、ＣＰＵ１７は、「カウンタ」を１増加する処理をする。Ｓ１７の処理が終了すると、Ｓ１８「カウンタと分割数が一致？」の判断に進む。
【００４３】
Ｓ１８「カウンタと分割数が一致」の判断において、ＣＰＵ１７は、「カウンタ」と「分割数」が一致するか否かを判断する。ＣＰＵ１７が「カウンタ」と「分割数」が一致したと判断した場合には、分割画像データ保存のフローが終了する。一方でＳ１８の判断において、ＣＰＵ１７が「カウンタ」と「分割数」が一致したと判断しない場合には、Ｓ１３の判断に戻る。図３に示される実施形態では、「分割画像データ」の「分割数」は、「４」であるので、ブロック１〜ブロック４の全ての「分割画像データ」を保存部２０の指定されたアドレスに保存し、「カウンタ」が「４」となっている場合には、「カウンタ」と「分割数」が一致するので、分割画像データ保存のフローが終了する。
【００４４】
（印刷処理のフロー）
図５に印刷処理のフローを示し、以下説明をする。
印刷処理のフローが開始すると、Ｓ２２「印刷ボタン押下？」の判断に進み、ＣＰＵ１７が、ユーザが操作パネル１３の「印刷ボタン」を押下したと判断した場合には、Ｓ２３「カウンタが分割数と一致？」の判断に進む。
【００４５】
Ｓ２３「カウンタが分割数と一致？」の判断において、ＣＰＵ１７は、「カウンタ」と「分割数」が一致するか否かを判断する。ＣＰＵ１７が「カウンタ」と「分割数」が一致したと判断した場合には、Ｓ２４「保存部への保存を禁止」の処理に進む。一方で、「カウンタ」と「分割数」が一致していない場合には、一組の「分割画像データ」が完全に保存部２０に保存されていないので、Ｓ２４の処理に進むことはない。
【００４６】
Ｓ２４「保存部への保存を禁止」の処理において、ＣＰＵ１７は、保存部２０への「分割画像データ」の保存を禁止する処理を行う。Ｓ２４の処理が終了すると、Ｓ２５「印刷用画像データを生成」の処理に進む。
【００４７】
Ｓ２５「印刷用画像データを生成」の処理において、画像処理部２１は、保存部２０に保存された一組の「分割画像データ」を再び１つの「縮小画像データ」に合成する処理をする。更に、画像処理部２１は、合成された「縮小画像データ」に前述した印刷用の画像処理を行い、「印刷用画像データ」を生成する処理を行う。Ｓ２５の処理が終了すると、Ｓ２６「保存部への保存の禁止を解除」の処理に進む。
【００４８】
Ｓ２６「保存部への保存の禁止の解除」の処理において、ＣＰＵ１７は、保存部２０への「分割画像データ」の保存の禁止を解除する処理を行う。Ｓ２６の処理が終了すると、Ｓ２７「印刷部で印刷用画像データを印刷」の処理に進む。
【００４９】
Ｓ２７「印刷部で印刷用画像データを印刷」の処理において、画像処理部２１は、印刷部１２に「印刷用画像データ」を出力して、印刷部１２が「印刷用画像データ」を印刷する。Ｓ２７の処理が終了すると、印刷処理のフローが終了する。
【００５０】
（投影処理フロー）
図６に投影処理のフローを示し、以下説明をする。
投影処理が開始すると、Ｓ３２「カウンタが初期値？」の判断に進み、ＣＰＵ１７が「カウンタ」が初期値であるか否かを判断する。ここでいう「カウンタ」とは、図４のデータの受信のフローで説明した「カウンタ」と同一のものである。Ｓ３２の判断において、ＣＰＵ１７が、「カウンタ」が初期値であると判断した場合には、Ｓ３３「１ブロック分入力？」の判断に進む。
【００５１】
Ｓ３３「１ブロック分入力？」の判断において、ＣＰＵ１７は、インターフェース部１５に、１ブロック分の「分割画像データ」を入力されたか否かを判断する。ＣＰＵ１７が、インターフェース部１５に、１ブロック分の「分割画像データ」が入力されたと判断した場合には、Ｓ３４「分割画像データを保存部に保存」の処理に進む。
【００５２】
Ｓ３４「分割画像データを保存部で保存」の処理において、ＣＰＵ１７は、インターフェース部１５に入力された、「分割画像データ」を保存部２０に保存する処理を行う。Ｓ３４の処理が終了すると、Ｓ３５「投影用画像データを生成」の処理に進む。
【００５３】
Ｓ３５「投影用画像データを生成」の処理において、画像処理部２１は、保存部２０に保存された１ブロック分の「分割画像データ」に、前述した投影用の画像処理を行い、「投影用画像データ」を生成する。Ｓ３５の処理が終了すると、Ｓ３６「投影用画像データを投影」の処理に進む。
【００５４】
Ｓ３６「投影用画像データを投影」の処理において、画像処理部２１は、「投影用画像データ」を投影部１１に出力して、投影部１１が「投影用画像データ」を投影面８０に投影する。Ｓ３６の処理が終了すると投影処理のフローが終了する。
【００５５】
（アナログ信号をデジタルデータに変換する処理のフロー）
図７にアナログ信号をデジタルデータに変換する処理のフローを示し、以下説明をする。
このフローは、インターフェース部１５がＶＧＡ端子等のアナログ信号に対応したインターフェースであり、コンピュータ装置５０と印刷機能付きプロジェクタ１とが、アナログ信号に対応したインターフェースで接続している場合に、インターフェース部１５に入力されるアナログ信号を、デジタルデータに変換するフローである。コンピュータ装置５０と印刷機能付きプロジェクタ１とが、アナログ信号に対応したインターフェースで接続している場合には、コンピュータ装置５０は「分割画像データ」を印刷機能付きプロジェクタ１に出力する際に、Ｄ／Ａ変換器でデジタルデータをアナログ信号に変換してから、インターフェース部１５に出力するようにしている。
【００５６】
アナログ信号をデジタルデータに変換する処理のフローが開始すると、Ｓ４２「同期信号を確認」の判断に進み、ＣＰＵ１７が、インターフェース部１５に「分割画像データ」の同期信号が入力されたか否かを判断する。ＣＰＵ１７が、インターフェース部１５に「分割画像データ」の同期信号が入力されたと判断した場合には、Ｓ４３「Ａ／Ｄ変換部でアナログ信号をデジタルデータに変換」の処理に進む。
【００５７】
Ｓ４３「Ａ／Ｄ変換部でアナログ信号をデジタルデータに変換」の処理において、Ａ／Ｄ変換部２２は、インターフェース部１５に入力されたアナログ信号の「分割画像データ」を、デジタルデータの「分割画像データ」に変換する処理を行い、図４のフローに示されるＳ１３の判断や、図６のフローに示されるＳ３３の判断に進む。Ｓ４３に処理が終了すると、アナログ信号をデジタルデータに変換する処理のフローが終了する。
【００５８】
（ネゴーシエション処理のフロー）
図８にネゴーシエション処理のフローを示し、図９にネゴーシエション処理の説明図を示し、以下ネゴーシエション処理のフローの説明をする。
インターフェース部１５が、デジタル信号に対応したものである場合には、印刷機能付きプロジェクタ１からコンピュータ装置５０に、信号を出力することにより、相互に通信することが可能となる。図８に示されるネゴーシエション処理のフローは、コンピュータ装置５０が印刷機能付きプロジェクタ１に「分割画像データ」を出力する前に、コンピュータ装置５０と印刷機能付きプロジェクタ１間で「ネゴーシエション要求」を送受信することにより、印刷機能付きプロジェクタ１の能力に応じた最適な「分割画像データ」を、コンピュータ装置５０から印刷機能付きプロジェクタ１に送信するように、印刷機能付きプロジェクタ１がコンピュータ装置５０に要求するフローである。
【００５９】
ネゴーシエション処理が開始すると、Ｓ５２「コンピュータ装置からネゴーシエション要求有？」の判断に進む。Ｓ５２の判断において、ＣＰＵ１７が、インターフェース部１５を介して、コンピュータ装置５０から「ネゴーシエション要求」（図９のＭ１）が有ると判断した場合には、Ｓ５３「コンピュータ装置に自身の能力を通知」の処理に進む。
【００６０】
Ｓ５３「コンピュータ装置に自身の能力を通知」の処理において、要求手段２３は、インターフェース部１５を介して、印刷機能付きプロジェクタ１の「能力」を通知する処理を行う（図９のＭ２）。この「能力」は、「分割数」や、カラー性能、取り扱うことができるデータ量、両面印刷可能か否か、印刷品質（印刷解像度ｆｉｎｅ，ｓｔａｎｄａｒｄ等）等である。Ｓ５３の処理が終了すると、Ｓ５４「コンピュータ装置から設定項目と設定値の通知有り？」の判断に進む。
【００６１】
図９に示されるように、コンピュータ装置５０に印刷機能付きプロジェクタ１から「能力」の通知がなされると（図９のＭ２）、コンピュータ装置５０は、印刷機能付きプロジェクタ１の「能力」と、コンピュータ装置５０の「能力」との最大公約値（つまり、許容できる最大の能力値）から、「設定項目」及びこの「設定項目」に対応する「設定値」を決定して、印刷機能付きプロジェクタ１に通知する。ここでいう「設定項目」には、「分割数」や、「分割画像データ」の「縦横比」、「分割画像データ」の印刷機能付きプロジェクタ１への「出力順」が含まれる。
【００６２】
Ｓ５４「コンピュータ装置から設定項目と設定値の通知有り？」の判断において、ＣＰＵ１７が、コンピュータ装置５０から設定項目と設定値の通知（図９のＭ３）があったと判断した場合には、Ｓ５５「設定値を保存」の処理に進む。
【００６３】
Ｓ５５「設定値を保存」の処理において、ＣＰＵ１１は、それぞれの設定項目の設定値を保存部２０に保存する処理を行う。Ｓ５５の処理が終了すると、ネゴーシエション処理のフローが終了して、図４に示される分割画像データの受信のフローもしくは、図６に示される投影処理のフローに進む。
【００６４】
（コンピュータ装置から印刷機能付きプロジェクタへの画像出力フロー）
図１０にコンピュータ装置５０から印刷機能付きプロジェクタ１への画像出力のフロー図を示し、以下説明をする。
コンピュータ装置５０から印刷機能付きプロジェクタ１への画像出力フローが開始すると、Ｓ６２「ユーザが出力する画像データを選択」の操作に進む。Ｓ６２の操作において、ユーザは、コンピュータ装置５０を操作して、印刷機能付きプロジェクタ１へ出力する「画像データ」を選択する。Ｓ６２の操作が終了すると、Ｓ６３「画像データを縮小」の処理に進む。
【００６５】
Ｓ６３「画像データを縮小」の処理において、コンピュータ装置５０は、Ｓ６２の操作でユーザが選択した「画像データ」を、印刷機能付きプロジェクタ１の印刷性能に合わせて、画素を縮小して「縮小画像データ」を生成する処理を行う。なお、画素を縮小する方法には、バイキュービック法、バイリニア法、ニアレルトネイバー法が含まれるが、これらの方法に限定されるものではない。Ｓ６３の処理が終了すると、Ｓ６４「縮小画像データを分割」の処理に進む。
【００６６】
Ｓ６４「縮小画像データを分割」の処理において、コンピュータ装置５０は、「分割数」に基づいて、「縮小画像データ」を複数に分割して「分割画像データ」を生成する。Ｓ６４の処理において、コンピュータ装置５０は、図３に示されるように「縮小画像データ」の画素を一定の間隔をおいて選択して再配置することにより、複数の「分割画像データ」を生成する。なお、Ｓ６４の処理において、コンピュータ装置５０と印刷機能付きプロジェクタ１とが、図８や図９で示されるような「ネゴーシエション処理」を行う場合には、「ネゴーシエション処理」でコンピュータ装置５０が決定した「分割数」や「縦横比」に基づいて、「縮小画像データ」を分割して「分割画像データ」生成する。Ｓ６４の処理が終了する。一方で、アナログ信号で印刷機能付きプロジェクタ１に「分割画像データ」を出力する場合には、予め設定された規則により算出される「分割数」や「縦横比」に基づいて、「縮小画像データ」を分割し「分割画像データ」を生成する。Ｓ６５「分割画像データを出力」の処理に進む。
【００６７】
Ｓ６５「分割画像データを出力」の処理において、コンピュータ装置５０は、Ｓ６４の処理で生成した「分割画像データ」を順次、印刷機能付きプロジェクタ１のインターフェース部１５に出力する処理を行う。なお、Ｓ６５の処理において、コンピュータ装置５０と印刷機能付きプロジェクタ１とが図８に示される「ネゴーシエション処理」を行う場合には、コンピュータ装置５０は、前述した「ネゴーシエション処理」において、コンピュータ装置５０が決定した「出力順」に従って、「分割画像データ」を、印刷機能付きプロジェクタ１のインターフェース部１５に出力する。一方で、アナログ信号で印刷機能付きプロジェクタ１に「分割画像データ」を出力する場合には、予め設定された規則に基づいて算出される「出力順」に基づいて、「分割画像データ」を印刷機能付きプロジェクタ１のインターフェース部１５に出力する。Ｓ６５の処理が終了すると、コンピュータ装置５０から印刷機能付きプロジェクタへの画像出力の処理が終了する。
【００６８】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う印刷機能付きプロジェクタ及び画像投影印刷システムもまた技術的範囲に包含されるものとして理解されなければならない。       
【図面の簡単な説明】
【００６９】
【図１】本発明の実施の形態を示す印刷機能付きプロジェクタの斜視図である。
【図２】本発明の実施の形態を示す印刷機能付きプロジェクタのブロック図である。
【図３】本発明の説明図である。
【図４】分割画像データの保存のフロー図である。
【図５】印刷処理のフロー図である。
【図６】投影処理のフロー図である。
【図７】アナログ信号をデジタルデータに変換する処理のフロー図である。
【図８】ネゴーシエション処理のフロー図である。
【図９】ネゴーシエション処理の説明図である。
【図１０】コンピュータ装置から印刷機能付きプロジェクタへの画像出力のフロー図である。
【図１１】従来の画像データの投影・印刷方法を示す説明図である。（投影用の画像データに合わせた場合）
【図１２】従来の画像データの投影・印刷方法を示す説明図である。（印刷用の画像データに合わせた場合）
【符号の説明】
【００７０】
１      印刷機能付きプロジェクタ
１０    表示部
１１    投影部
１２    印刷部
１３    操作パネル
１５    インターフェース部
１６    外部記憶接続部
１７    ＣＰＵ
１８    ＲＡＭ
１９    ＲＯＭ
２０    保存部
２１    画像処理部
２２    Ａ／Ｄ変換部
２３    要求手段
３０    バス
５０    コンピュータ装置
８０    投影面
９１    投影画像
【図１】
2009048034.tif 000003
【図２】
2009048034.tif 000004
【図３】
2009048034.tif 000005
【図４】
2009048034.tif 000006
【図５】
2009048034.tif 000007
【図６】
2009048034.tif 000008
【図７】
2009048034.tif 000009
【図８】
2009048034.tif 000010
【図９】
2009048034.tif 000011
【図１０】
2009048034.tif 000012
【図１１】
2009048034.tif 000013
【図１２】
2009048034.tif 000014